(57)【要約】【課題】鮎釣り要の根掛かり外しの改良。根掛かりを起こした掛針の位置にかかわらず、簡単且つ迅速に根掛かりを外すことができる根掛かり外しの提供。【解決手段】シャフト１１の先端にヘッド１２が設けられている。ヘッド１２は、線部材からなる固定部２４と回動部２５とを備える。固定部２４は鉤状に湾曲形成され、回動部２５は略Ｕ字状に湾曲形成されている。回動部２５は、スイベル２６を介して固定部２４に取り付けられている。回動部２５は、固定部２４に対して開閉する。ヘッド１２は、連結部１３を介してシャフト１１に取り付けられている。ヘッド１２は、シャフト１１に対して折り畳まれるようにして収納される。【選択図】　図１
2004065031.tif 000002
【特許請求の範囲】
【請求項１】
鮎釣りに適用され、掛針の根掛かりを解除するための鮎釣用根掛かり外しにおいて、
上記掛針又は掛針の近傍に係合され得る作用部を備え、
当該作用部は、釣人が所望の形状を成形することができる可撓性を有する金属製の線部材により構成されていることを特徴とする鮎釣用根掛かり外し。
【請求項２】
上記線部材は、ステンレス鋼からなることを特徴とする請求項１記載の鮎釣用根掛かり外し。
【請求項３】
鮎釣りに適用され、掛針の根掛かりを解除するための鮎釣用根掛かり外しにおいて、
上記掛針又は掛針の近傍に係合され得る作用部を備え、
当該作用部は、所定長さの線部材が湾曲されると共に所定位置で互いに交差されることにより環状に形成されており、
上記線部材の一部は、上記作用部の径方向外方に対して凸となるように略Ｕ字状に湾曲形成され、且つ上記線部材の他の一部は、上記径方向外方に対して凹となるように略Ｕ字状に湾曲形成されていることを特徴とする鮎釣用根掛かり外し。
【請求項４】
鮎釣りに適用され、掛針の根掛かりを解除するための鮎釣用根掛かり外しにおいて、
上記掛針又は掛針の近傍に係合され得る環状の作用部を備え、
当該作用部は、
線部材により鉤状に湾曲形成された固定部と、
線部材により略Ｕ字状に湾曲形成され、その基端部が上記固定部の先端部にスイベルを介して連結された回動部とを有することを特徴とする鮎釣用根掛かり外し。
【請求項５】
上記回動部は、
その先端部が上記作用部の径方向外方へ湾曲され、上記固定部と交差するように形成されている請求項４記載の鮎釣用根掛かり外し。
【請求項６】
上記作用部は、連結部を介して釣人が把持し得る柄部と連結されており、
上記連結部は、上記作用部が上記柄部に沿う姿勢に姿勢変化し得る姿勢変化機構を備えている請求項４又は５記載の鮎釣用根掛かり外し。
【発明の詳細な説明】
【０００１】
【発明の属する技術の分野】
この発明は、鮎釣りにおいて使用される根掛かり外しに関するものである。
【０００２】
【従来の技術】
鮎釣りは、いわゆる友釣りと呼ばれる釣法により行われることが多い。この友釣りは、掛針と呼ばれる針がおとり鮎に装着され、当該おとり鮎を釣人が選定したポイントに泳がせるものである。
このような友釣りでは、川底に石が散乱する急流の場所（一般に「瀬」と称される。）がポイントとして選定されることが多い。したがって、必然的に、釣人がおとり鮎を泳がせる際に、上記掛針が川底の石に引っかかる（一般に「根掛かり」と称される。）ことも多い。掛針が根掛かりを起こせば、当然におとり鮎は釣人が選定したポイントに侵入することはできないので、釣人は、当該根掛かりを外す必要がある。
【０００３】
従来では、図８が示すような根掛かり外し（実開平４−１２７１７９号公報）が提供されている。
図８が示す根掛かり外し１は、掛針又は掛針が連結されたハリスに係合される作用部２を備えている。この作用部２は、金属等からなる線材３によって湾曲形成されている。この線材３の先端部４は、当該線材３の基端部５に係止されており、これにより、作用部２は環状に形成されている。ただし、所要時には、同図（ｂ）が示すように、上記係止が解除されるようになっている。
【０００４】
掛針が根掛かりを起こした場合は、釣人は、根掛かり外し１を同図（ｂ）の状態にし、釣糸を微小隙間Ｓ１から作用部２の内部に挿通させると共に同図（ａ）の状態にする。そして、釣人は、釣糸に案内されるようにして作用部２を掛針まで移動させ、作用部２を操作することによって、掛針を外す。
ところが、このような根掛かり外し１では、釣人は、前述のように、根掛かり外し１を同図（ａ）及び（ｂ）の状態に変化させなければならず、また、上記微小隙間Ｓ１から釣糸を挿通させなければならないため、それらの操作が煩わしいものであった。
【０００５】
そのため、従来では、図９が示すような根掛かり外し６が提供されている。なお、同図（ａ）は根掛かり外し６の正面図、同図（ｂ）は根掛かり外し６の右側面図である。
根掛かり外し６は、上記根掛かり外し１と同様に作用部７を備えている。作用部７は、金属等からなる線材８が螺旋状に巻回されており、全体として環状に形成されている。
この根掛かり外し６では、釣糸は、作用部７に常時形成される隙間Ｓ２から挿通される。そして、釣人は、当該釣糸に案内されるようにして作用部７を掛針まで移動させ、作用部７を操作することによって、掛針を外す。
【０００６】
【発明が解決しようとする課題】
ところで、特に釣人が目視できる位置に掛針が根掛かったような場合は、釣人は、作用部を釣糸に沿って移動させるよりも、作用部を直接当該掛針に係合させる方が根掛かりを迅速に外すことができる。
したがって、根掛かりを起こした掛針が目視される場合は、作用部が従来のように環状に形成されているよりも例えば鉤状に形成されている方が便利である。
【０００７】
本発明はかかる背景のもとになされたものであって、根掛かりを起こした掛針の位置にかかわらず（釣人が掛針を目視できる場合又は目視できない場合にかかわらず）、簡単且つ迅速に根掛かりを外すことができる鮎釣用根掛かり外しを提供することを目的とするものである。
【０００８】
【課題を解決するための手段】
（１）　上記目的を達成するため、本願に係る鮎釣用根掛かり外しは、鮎釣りに適用され、掛針の根掛かりを解除するための鮎釣用根掛かり外しにおいて、上記掛針又は掛針の近傍に係合され得る作用部を備え、当該作用部は、釣人が所望の形状を成形することができる可撓性を有する金属製の線部材により構成されていることを特徴とするものである。
【０００９】
この構成によれば、鮎釣りの際に掛針が目視できる範囲で根掛かりを起こした場合は、釣人は、作用部を鉤状（例えば、「し」の字状等）に形成する。この作業は、作用部が可撓性を有する金属製の線部材からなるので、きわめて簡単に行われる。そして、釣人は、当該形状の作用部を直接根掛かりを起こした掛針又はその近傍に迅速に係合させ、当該根掛かりを外すことができる。
一方、鮎釣りの際に掛針が目視できない範囲で根掛かりを起こした場合は、釣人は、上記線部材を湾曲させて環状の作用部を形成する。この作業は、作用部が可撓性を有する金属製の線部材からなるので、きわめて簡単に行われる。そして、釣人は、釣糸を上記作用部内に挿通させ、当該釣糸に案内されるようにして作用部を掛針まで移動させる。これにより、作用部は、根掛かりを起こした掛針又はその近傍に迅速に係合され、当該根掛かりが解除される。
【００１０】
上記線部材は、ステンレス鋼等の錆にくい材料により構成されるのが好ましい。かかる材料が採用されることにより、線部材が錆にくく、耐久性に優れる。
【００１１】
（２）　また、上記目的を達成するため、本願に係る鮎釣用根掛かり外しは、鮎釣りに適用され、掛針の根掛かりを解除するための鮎釣用根掛かり外しにおいて、上記掛針又は掛針の近傍に係合され得る作用部を備え、当該作用部は、所定長さの線部材が湾曲されると共に所定位置で互いに交差されることにより環状に形成されており、上記線部材の一部は、上記作用部の径方向外方に対して凸となるように略Ｕ字状に湾曲形成され、且つ上記線部材の他の一部は、上記径方向外方に対して凹となるように略Ｕ字状に湾曲形成されていることを特徴とするものである。
【００１２】
この構成によれば、作用部は全体として環状に形成されるが、作用部は、その一部が互いに交差するように線部材が湾曲形成されて構成されている。したがって、環状に形成された作用部のうち、上記線部材が交差される部位には、当該作用部の内側と外側とを連通する通路（隙間）が形成されることになる。
したがって、鮎釣りの際に掛針が目視できない範囲で根掛かりを起こした場合は、釣人は、釣糸を手に取り、これを上記通路から作用部の内部へ挿通させ、当該釣糸に案内されるようにして作用部を掛針へ移動させる。そして、釣人は、作用部を掛針又は掛針の近傍に係合させ、当該根掛かりを解除する。
【００１３】
一方、鮎釣りの際に掛針が目視できる範囲で根掛かりを起こした場合は、釣人は、作用部を直接当該根掛かりを起こした掛針又は掛針の近傍に係合させる。
このとき、作用部は、その径方向外方に対して凸となるように略Ｕ字状に湾曲形成された部分及びその径方向外方に対して凹となるように略Ｕ字状に湾曲形成された部分を備えているから、釣人は、当該いずれかの略Ｕ字状部分を掛針又は掛針の近傍に簡単且つ迅速に係合させることができ、これにより、当該根掛かりが解除される。
しかも、これら略Ｕ字状部分は、互いに反対方向に湾曲されているから、釣人は、掛針の根掛かりの方向によって、掛針又は掛針の近傍に係合させた作用部を押して当該根掛かりを解除でき、また、場合によっては作用部を引いて当該根掛かりを解除することができる。
【００１４】
（３）　さらに、上記目的を達成するため、本願に係る鮎釣用根掛かり外しは、鮎釣りに適用され、掛針の根掛かりを解除するための鮎釣用根掛かり外しにおいて、上記掛針又は掛針の近傍に係合され得る環状の作用部を備え、当該作用部は、線部材により鉤状に湾曲形成された固定部と、線部材により略Ｕ字状に湾曲形成され、その基端部が上記固定部の先端部にスイベルを介して連結された回動部とを有することを特徴とするものである。
【００１５】
この構成によれば、作用部は、鉤状に形成された固定部に回動部が連結されて構成されており、この回動部が略Ｕ字状に形成されているから、固定部と回動部とによって、閉ループ状（環状）の作用部が形成される。この回動部は、固定部に対してスイベル介して連結されているから、回動部を回転させることによって、上記閉ループ状に形成された作用部は、解放される。すなわち、作用部は、鉤状の固定部と、略Ｕ字状の回動部とが並設された状態となる。
【００１６】
したがって、鮎釣りの際に掛針が目視できない範囲で根掛かりを起こした場合は、釣人は、作用部を環状に形成した後、釣糸を手に取り、これを固定部と回動部との間の隙間から作用部の内部へ挿通させ、当該釣糸に案内されるようにして作用部を掛針へ移動させる。そして、釣人は、作用部を掛針又は掛針の近傍に係合させ、当該根掛かりを解除する。
【００１７】
一方、鮎釣りの際に掛針が目視できる範囲で根掛かりを起こした場合は、釣人は、回動部を回動させて作用部を解放状態とし、この作用部を直接当該根掛かりを起こした掛針又は掛針の近傍に係合させる。
このとき、作用部は、鉤状の固定部及び略Ｕ字状の回動部とを備えているから、釣人は、これらのうちいずれかに掛針又は掛針の近傍を簡単且つ迅速に係合させることができ、これにより、当該根掛かりが解除される。
しかも、これら鉤状の固定部及び略Ｕ字状の回動部は、互いに反対方向に湾曲されることになるから、釣人は、掛針の根掛かりの方向によって、掛針又は掛針の近傍に係合させた作用部を押して当該根掛かりを解除でき、また、場合によっては作用部を引いて当該根掛かりを解除することができる。
【００１８】
特に、上記回動部は、その先端部が上記作用部の径方向外方へ湾曲され、上記固定部と交差するように形成されていてもよい。
回動部がかかる形状とされることによって、釣人は、回動部の先端部を操作することによって、きわめて簡単に作用部を閉ループ状に形成し、又は解放状態とすることができる。
【００１９】
さらに、上記作用部は、連結部を介して釣人が把持し得る柄部と連結されており、上記連結部は、上記作用部が上記柄部に沿う姿勢に姿勢変化し得る姿勢変化機構を備える構成であってもよい。
この構成では、作用部は所要時に柄部に沿うように折り畳まれるから、鮎釣用根掛かり外しが使用されないときは、鮎釣用根掛かり外しは、コンパクトに収納されるという利点がある。
【００２０】
【発明の実施の形態】
以下、適宜図面が参照されつつ、好ましい実施形態に基づいて本発明が詳細に説明される。
【００２１】
＜第１の実施形態＞
図１は、本発明の第１の実施形態に係る鮎釣用の根掛かり外し１０の斜視図である。
【００２２】
この根掛かり外し１０は、鮎釣りにおいて、おとり鮎に装着された掛針が川底の石等に引っかかった場合（いわゆる根掛かり）に、これを取り外すためのものである。
根掛かり外し１０は、シャフト１１（柄部）と、ヘッド１２（作用部）と、ヘッド１２をシャフト１１に連結する連結部１３（姿勢変化機構）とを備えている。
【００２３】
シャフト１１は、釣人が根掛かり外し１０を操作するために把持するものである。本実施形態では、シャフト１１は伸縮自在となっている。すなわち、シャフト１１は、外径の異なる複数の筒状部材１４〜２０からなり、図１が示すように、各筒状部材１４〜２０は、軸方向に連結されている。各筒状部材１４〜２０は、例えば、ステンレス鋼等の金属により構成されている。
筒状部材１４は、筒状部材１５の内部にスライド自在な状態で挿入されており、その他の筒状部材１５〜１９についても同様である。したがって、シャフト１１は、軸方向に引っ張られることにより伸長し、軸方向に圧縮されることにより縮短する。シャフト１１の長さは、釣人によって自在に調整される。なお、このような伸縮構造は、既知である。
【００２４】
シャフト１１の先端部には、支持フレーム２１が取り付けられている。この支持フレーム２１は、例えばステンレス鋼等の金属により構成されている。支持フレーム２１は、一対の支持アーム２２，２３を有し、全体として略Ｕ字状に形成されている。この支持フレーム２１は、後に詳述される連結部１３を構成する部材である。
【００２５】
ヘッド１２は、固定部２４と、回動部２５と、スイベル２６とを備えている。固定部２４及び回動部２５は、例えばステンレス鋼からなる線部材により構成されている。固定部２４及び回動部２５を構成する線部材の外径は、０．８ｍｍ〜２．０ｍｍに設定される。なお、当該線部材の材質は、ステンレス鋼に限定されるものではなく、アルミニウム合金等より構成されていてもよい。
【００２６】
固定部２４は、上記支持フレーム２１に連結される基部２７と、基部２７に延設された鉤状部２８とを有する。これら基部２７及び鉤状部２８は、上記線部材が湾曲形成されることによって、一体的に形成されている。
基部２７は、図１では、シャフト１１の軸方向に直交する方向に突出するように配置されている。ただし、後に詳述されるが、基部２７は、支持フレーム２１に対して回動することができるようになっている。
【００２７】
鉤状部２８は、基部２７に略直交する方向に延設されている。また、本実施形態では、鉤状部２８は、略Ｃ字状ないし「し」の字状に形成されている。ただし、鉤状部２８は、かかる湾曲された形状に限定されるものではなく、屈曲されることにより、略三角形状、略四角形状等に形成されていてもよい。
また、鉤状部２８が上記支持フレーム２１から突設された基部２７に延設されることにより、鉤状部２８は、シャフト１１の中心軸よりも距離ｄだけオフセットされている。このオフセット距離ｄが設けられることによる作用効果については後述される。
【００２８】
回動部２５は、上記線部材が湾曲形成されることにより構成されている。本実施形態では、回動部２５は、略半円形に形成されている。ただし、回動部２５は、かかる湾曲された形状に限定されるものではなく、屈曲されることにより、略Ｖ字状、略四角形状等に形成されていてもよい。
また、回動部２５の先端部は、当該回動部２５の湾曲方向と逆方向に曲げられており、固定部２４の上部と交差している。そして、この先端部には、摘み２９が取り付けられている。この摘み２９は、釣人が回動部２５を操作する際に把持する部分である。
【００２９】
回動部２５が上記形状に形成されているから、当該回動部２５と上記固定部２４とによって、図１が示すような閉ループ形状が形成されており、これにより、ヘッド１２は、環状に形成されている。
ここで、上記固定部２４の湾曲された部分の曲率半径Ｒ１は、０．４ｍｍ〜１．０ｍｍに設定することができる。また、上記回動部２５の曲率半径Ｒ２は、０．４ｍｍ〜１．０ｍｍに設定することができる。
【００３０】
スイベル２６は、一般なものが採用されている。すなわち、本実施形態では、スイベル２６は既知の構造を有し、ローリングベース３０とローラ３１とを備えている。これらは、例えば、ステンレス鋼等により構成されている。
ローリングベース３０は、略円筒状を呈し、その一端部が固定部２４の先端に取り付けられている。ローラ３１は、円柱状を呈し、ローリングベース３０に対して軸方向回りに回動自在となっている。ただし、本実施形態では、ローラ３１がローリングベース３０に対して回動するには、一定の回動抵抗力が必要となるように設定されている。
【００３１】
ローラ３１には、回動部２５の基端が取り付けられている。したがって、回動部２５は、図１の実線で示された姿勢から、上記回動抵抗力に抗して矢印３２の方向に回動されることにより、同図の二点鎖線で示された姿勢に姿勢変化するようになっている。回動部２５がこのように姿勢変化することによって、ヘッド１２は、上記閉ループ形状から解放された解放形状へと変化する。なお、回動部２５は、解放形状から再び上記矢印３２と逆方向へ回動されることにより、上記閉ループ形状となることは言うまでもない。
【００３２】
図２は、シャフト１１の要部断面図であり、上記連結部１３の構造が詳細に示されている。
【００３３】
連結部１３は、上記支持フレーム２１と、上記固定部２４の基部２７と、連結ピン３３とを有している。
基部２７は、径方向に貫通孔３４が設けられている。基部２７は、支持フレーム２１の支持アーム２２，２３の間に挿入されている。一方、支持アーム２２，２３は、それぞれ、ピン挿通孔３５が設けられている。そして、上記連結ピン３３は、上記ピン挿通孔３５及び貫通孔３４を貫通した状態で支持アーム２２，２３に支持されている。
なお、同図では図示されていないが、連結ピン３３は、例えばリテーナ等により抜け止めがなされている。
【００３４】
連結部１３がかかる構造であるから、上記基部２７は、連結ピン３３の回りに回動自在となっている。なお、本実施形態では、連結ピン３３の外径と上記貫通孔３４の内径との間に、所定のはめあいが設定されている。これにより、連結ピン３３と基部２７との間に所定の摩擦力が生じ、基部２７は、当該摩擦力を越える力が加えられた場合に回動するようになっている。
したがって、ヘッド１２は、図１が示す姿勢である場合に、上記基部２７が回動されることによって連結ピン３３の回りに回動し、その結果、シャフト１１の下側に位置することができる。しかも、本実施形態では、前述のように、基部２７に鉤状部２８が突設されることによって上記オフセット距離ｄが設けられているので、ヘッド１２が姿勢変化する際に、固定部２４や回動部２５が支持フレーム２１と干渉することがなく、円滑な姿勢変化が実現される。
【００３５】
本実施形態に係る根掛かり外し１０では、ヘッド１２は、図１において実線で示されるように閉ループ状（環状）に形成され、必要に応じて、同図の二点鎖線で示されるように解放状態とされる。すなわち、ヘッド１２が解放状態とされることによって、鉤状の固定部２４と、略Ｕ字状に形成された回動部２５とが並設された状態となる。
【００３６】
したがって、鮎釣りの際に掛針が目視できない範囲で根掛かりを起こした場合には、釣人は、ヘッド１２を環状に形成した後、釣糸を手に取り、これを固定部２４と回動部２５とが交差した部分の隙間からヘッド１２の内部へ挿通させ、当該釣糸に案内されるようにしてヘッド１２を掛針へ移動させる。なお、釣糸をヘッド１２の内部へ挿通させる作業は、ヘッド１２を一旦解放状態とすることによってさらに簡単なものとなる。
そして、釣人は、シャフト１１を操作し、ヘッド１２を掛針又は掛針の近傍に引っ掛けた後、当該根掛かりを外すことができる。
【００３７】
一方、上記根掛かりが、目視できる範囲内で発生した場合は、釣人は、回動部２５を矢印３２の方向に回動させてヘッド１２を解放状態とし、ヘッド１２を直接当該根掛かりを起こした掛針又は掛針の近傍に引っ掛ける。
このとき、ヘッド１２は、鉤状の固定部２４及び略Ｕ字状の回動部２５とを備えることになるから、釣人は、シャフト１１を操作して、これらのうちいずれかに掛針又は掛針の近傍を簡単に引っ掛けることができる。
【００３８】
このように本実施形態に係る根掛かり外し１０では、鮎釣りの際に掛針が根掛かりを起こした場合に、その根掛かりの位置が、釣人が目視できる位置であるか目視できない位置であるかにかかわらず、簡単且つ迅速に当該根掛かりを解除することができる。
【００３９】
しかも、上記固定部２４及び回動部２５は、図１が示すように、互いに反対方向に湾曲されることになるから、釣人は、掛針の根掛かりの方向によって、ヘッド１２を押して、又は引くことによって、当該根掛かりを迅速に解除することができる。
具体的には、釣人は、固定部２４に掛針等を引っ掛けてシャフト１１を引くことにより当該根掛かりを解除でき、又は、回動部２５に掛針等を引っ掛けてシャフト１１を押すことにより当該根掛かりを解除することができる。
【００４０】
また、本実施形態では、回動部２５の先端部がヘッド１２の外側へ湾曲されているから、釣人は、当該先端部を操作することによって、きわめて簡単にヘッド１２を閉ループ状に形成し、又は解放状態とすることができる。特に、本実施形態では、上記先端部に摘み２９が設けられているから、釣人は、なお一層ヘッド１２の操作が簡単となる。
【００４１】
さらに、本実施形態では、上記連結部１３が設けられているから、前述のように、ヘッド１２が回動され、図１においてシャフト１１の下側に配置される。つまり、ヘッド１２は、所要時にシャフト１１に沿うように折り畳まれる。したがって、根掛かり外し１０が使用されないときは、コンパクトに収納されるという利点がある。
【００４２】
＜第２の実施形態＞
次に、本発明の第２の実施形態について説明される。
図３は、本発明の第２の実施形態に係る根掛かり外し４０の要部正面図である。
【００４３】
本実施形態の特徴とするところは、ヘッド４２がシャフト１１の先端に直接取り付けられている点、及びヘッド４２は、ステンレス鋼等の錆にくい材料により構成された線部材からなる点である。
ヘッド４２を構成する線部材は、ステンレス鋼等に限定されるものではなく、可撓性を有し、釣人が自在に変形させることができるものであればよい。また、本実施形態では、ヘッド４２を構成する線部材の外径は、０．８ｍｍ〜２．０ｍｍに設定されている。
なお、シャフト１１は、上記第１の実施形態で開示されたものと同様の構成であり、本実施形態では、前述の連結部１３（図１参照）は設けられていない。もっとも、本実施形態においても、上記連結部１３が設けられていてもよいことは言うまでもない。
【００４４】
図４は、ヘッド１２が湾曲された状態が模式的に示された根掛かり外し４０の要部正面図である。
【００４５】
この根掛かり外し４０は、同図（ａ）が示すように、環状に形成されることができる。すなわち、釣人は、ヘッド４２を構成する線部材を湾曲させ、その一部を互いに交差させることによって、同図（ａ）が示すように、ヘッド４２を環状に形成することができる。
一方、この根掛かり外し４０は、同図（ｂ）が示すように、鉤状（具体的には、「し」の字状）に形成されることができる。すなわち、釣人は、ヘッド４２を構成する線部材の先端側部分を半円状に湾曲させることによって、同図（ｂ）が示すように、ヘッド４２を鉤状に形成することができる。
【００４６】
本実施形態では、ヘッド４２は、ステンレス鋼等により構成されており、しかも線部材の外径が０．８ｍｍ〜２．０ｍｍに設定されているので、上記環状又は鉤状に湾曲された部分が外力によって変形するためには、少なくとも１００ｇ重（０．９８Ｎ）程度の力が作用する必要がある。
ところで、上記掛針に使用される釣糸（ハリス）は、その引張強度が大きくても１．２ｋｇ重（１１．７６Ｎ）程度である。したがって、ヘッド４２を構成する線部材が上記可撓性を有する材料により構成されていても、ヘッド４２自体が大きく変形することなく、根掛かりは確実に解除される。
【００４７】
したがって、掛針が目視できる範囲で根掛かりを起こした場合は、釣人は、ヘッド４２を図４（ｂ）が示すような形状に形成する。しかも、この作業は、ヘッド４２が前述の可撓性を有する材料から構成されるので、きわめて簡単である。そして、釣人は、ヘッド４２を直接根掛かりを起こした掛針又はその近傍に迅速に引っ掛け、シャフト１１を操作することによって、根掛かりを迅速に外すことができる。
【００４８】
一方、掛針が目視できない範囲で根掛かりを起こした場合は、釣人は、ヘッド４２を同図（ａ）が示すような形状に形成する。この作業も、ヘッド４２が前述の可撓性を有する材料から構成されるので、きわめて簡単である。そして、釣人は、釣糸をヘッド４２の内部に挿通させ、当該釣糸に案内されるようにしてヘッド４２を掛針まで移動させる。これにより、釣人は、ヘッド４２を、根掛かりを起こした掛針又はその近傍に引っ掛けることができ、根掛かりを迅速に外すことができる。
【００４９】
このように、本実施形態に係る根掛かり外し４０についても、鮎釣りの際に掛針が根掛かりを起こした場合に、その根掛かりの位置が、釣人が目視できる位置であるか目視できない位置であるかにかかわらず、簡単且つ迅速に当該根掛かりを解除することができる。
【００５０】
＜第３の実施形態＞
次に、本発明の第３の実施形態について説明される。
図５は、本発明の第３の実施形態に係る根掛かり外し５０の要部正面図である。
【００５１】
本実施形態の特徴とするところは、ヘッド５２がシャフト１１の先端に直接取り付けられている点、及びヘッド５２は、ステンレス鋼等により構成された線部材からなる点である。なお、シャフト１１は、上記第１の実施形態で開示されたものと同様の構成であり、本実施形態では、前述の連結部１３（図１参照）は設けられていない。もっとも、本実施形態においても、上記連結部１３が設けられていてもよいことは言うまでもない。
【００５２】
ヘッド５２は、フレーム５３と、フレーム５３に設けられた第１線部材５４及び第２線部材５５とを有する。
図６及び図７は、それぞれ、図５における部分拡大図であり、図６はフレーム５３部分の構造を図示し、図７は第１線部材５４と第２線部材５５との連結構造を図示している。
【００５３】
フレーム５３は、略Ｔ字状に形成されており、例えば、ステンレス鋼、樹脂等により構成されている。すなわち、フレーム５３は、軸部５６と腕部５７とを有し、軸部５６がシャフト１１の先端に固着されている。腕部５７は、軸部５６の先端に設けられており、軸部５６の軸方向に直交するように配置されている。
【００５４】
第１線部材５４及び第２線部材５５は、例えば、ステンレス鋼により構成されており、本実施形態では、その外径が０．８ｍｍ〜２．０ｍｍのものが採用される。第１線部材５６は、上記腕部５７の一端部に固定されている。また、第２線部材５５は、上記腕部５７の他端部に固定されている。これらの固定は、例えば、第１線部材５６及び第２線部材５５のそれぞれの一端部を腕部５７に挿通し、接着剤等により固着することにより行われる。
第１線部材５４及び第２線部材５５は、円弧状に湾曲形成されており、両者が協働して環状のヘッド５２が構成されている。第１線部材５４及び第２線部材５５は、それぞれ、曲率半径Ｒが２５ｍｍ〜３０ｍｍに設定される。なお、第１線部材５４及び第２線部材５５は、円弧状に形成されている必要はなく、要するに、両者が協働することにより、閉ループ状のヘッド５２が構成されるものであればよい。
【００５５】
第１線部材５４の他端部５８は、当該第１線部材５４の湾曲方向と逆方向に湾曲されている。このため、第１線部材５４の他端部５８は、図５が示すように、上方（ヘッド５２の径方向外方）に対して凹となるように形成されている。また、第２線部材５５の他端部５９は、上方（ヘッド５２の径方向外方）に対して凸となるように形成されている。
このため、第１線部材５４の他端部５８及び第２線部材５５の他端部５９は略Ｕ字状に形成され、互いに逆向きに配置された状態となっている。
【００５６】
そして、各他端部５８，５９は、互いに交差するように係合している。すなわち、図７が示すように、第２線部材５５の他端部５９は、第１線部材５４の他端部５８の下側と交差した後、当該他端部５８の上側と交差することにより、第１線部材５４と係合している。
なお、各他端部５８，５９は、前述のように互いに絡み合うようにして交差する場合に限定されるものではなく、両者は、互いに重なり合うように交差していてもよい。
【００５７】
本実施形態に係る根掛かり外し５０では、ヘッド５２は全体として環状に形成されるが、ヘッド５２は、その一部（上記他端部５８，５９）が互いに交差するように略Ｕ字状に形成されている。したがって、当該交差された部分には、ヘッド５２の内側と外側とを連通する通路（隙間）が形成されることになる。なお、上記他端部５８，５９が互いに絡み合うように交差されているときは、当該交差状態が一旦解除されることにより、上記通路が形成される。
【００５８】
したがって、鮎釣りの際に掛針が目視できない範囲で根掛かりを起こした場合は、釣人は、釣糸を手に取り、これを上記通路からヘッド５２の内部へ挿通させ、当該釣糸に案内されるようにしてヘッド５２を掛針へ移動させる。そして、釣人は、ヘッド５２を掛針又は掛針の近傍に係合させ、当該根掛かりを迅速に外しことができる。
一方、掛針が目視できる範囲で根掛かりを起こした場合は、釣人は、ヘッド５２を直接当該根掛かりを起こした掛針又は掛針の近傍に係合させる。
このとき、ヘッド５２は、上記略Ｕ字状に形成された他端部５８，５９を備えるから、釣人は、当該他端部５８，５９のうちいずれかを掛針又は掛針の近傍に簡単且つ迅速に係合させることができ、シャフト１１を操作することによって、迅速に当該根掛かりを外すことができる。
【００５９】
このように本実施形態に係る根掛かり外し５０では、鮎釣りの際に掛針が根掛かりを起こした場合に、その根掛かりの位置が、釣人が目視できる位置であるか目視できない位置であるかにかかわらず、簡単且つ迅速に当該根掛かりを外すことができる。
しかも、上記他端部５８，５９は、互いに逆方向に配置された略Ｕ字状を呈しているから、釣人は、掛針の根掛かりの方向によって、シャフト１１を操作してヘッド５２を押して、又は引くことによって、当該根掛かりを迅速に解除することができる。すなわち、釣人は、上記他端部５９に掛針等を引っ掛けてシャフト１１を引くことによって当該根掛かりを解除でき、又は、上記他端部５８に掛針等を引っ掛けてシャフト１１を押すことによって当該根掛かりを解除することができる。
【００６０】
なお、本実施形態では、上記他端部５８，５９は、ヘッド５２の右側部分に配置されているが、これら他端部５８，５９は、ヘッド５２の左側、上側等、ヘッド５２の周方向に沿ういずれの位置に配置されていてもよい。
また、図５において、第１線部材５４又は第２線部材５５の任意の部位に、当該部位が湾曲又は屈曲されることによって、凸部又は凹部が形成されていてもよい。このようにすれば、根掛かりを起こした掛針の位置によっては、釣人は、さらに簡単に根掛かりを外すことができる。
【００６１】
加えて、上記各実施形態において、ヘッド１２，４２，５３の内側に、具体的には、釣人が根掛かりを外す際に掛針等と接触する部位が、粗面に形成されていてもよい。
かかる粗面が形成されることによって、掛針とヘッド１２，４２，５２とが確実に係合することになるので、当該根掛かりを確実に外すことが可能となる。また、掛針が外れない場合には、釣人は、釣糸を容易に切断することも可能である。
【００６２】
【発明の効果】
以上のように本発明によれば、鮎釣りの際に掛針が根掛かりを起こした場合に、その根掛かりの位置が、釣人が目視できる位置であるか目視できない位置であるかにかかわらず、簡単且つ迅速に当該根掛かりを解除することができる。
【図面の簡単な説明】
【図１】図１は、本発明の第１の実施形態に係る根掛かり外しの斜視図である。
【図２】図２は、本発明の第１の実施形態に係る根掛かり外しのシャフトの要部断面図である。
【図３】図３は、本発明の第２の実施形態に係る根掛かり外しの要部正面図である。
【図４】図４は、本発明の第２の実施形態に係る根掛かり外しの要部正面図である。
【図５】図５は、本発明の第３の実施形態に係る根掛かり外しの要部正面図である。
【図６】図６は、図５における部分拡大図である。
【図７】図７は、図５における部分拡大図である。
【図８】図８は、従来の根掛かり外しの構成を示す図である。
【図９】図９は、従来の根掛かり外しの構成を示す図である。
【符号の説明】
１０・・・根掛かり外し
１１・・・シャフト
１２・・・ヘッド
１３・・・連結部
２１・・・支持フレーム
２２・・・支持アーム
２３・・・支持アーム
２４・・・固定部
２５・・・回動部
２６・・・スイベル
２７・・・基部
２８・・・鉤状部
３０・・・ローリングベース
３１・・・ローラ
３３・・・連結ピン
３４・・・貫通孔
３５・・・ピン挿通孔
４０・・・根掛かり外し
４２・・・ヘッド
５０・・・根掛かり外し
５２・・・ヘッド
５４・・・第１線部材
５５・・・第２線部材
５８・・・第１線部材の他端部
５９・・・第２線部材の他端部
【図１】
2004065031.tif 000003
【図２】
2004065031.tif 000004
【図３】
2004065031.tif 000005
【図４】
2004065031.tif 000006
【図５】
2004065031.tif 000007
【図６】
2004065031.tif 000008
【図７】
2004065031.tif 000009
【図８】
2004065031.tif 000010
【図９】
2004065031.tif 000011